(57)【要約】【課題】探査対象ケーブルの検出確率を向上できるケーブル探査方法を提供する。【解決手段】電磁変換素子９ａを探査対象ケーブル３１ａに装着し、電磁変換素子９ｂをケーブル３１ｂに装着する。送信器２からの探査信号２２ａが電磁変換素子９ａより探査対象ケーブル３１ａに印加され、送信器２から出力されて探査信号２２ａと位相が逆の探査信号２２ｂが電磁変換素子９ｂよりケーブル３１ｂに印加される。盤３５を介して探査対象ケーブル３１ａ及びケーブル３１ｂ以外の各ケーブル３１ｃに回り込んだ互いに位相が逆の探査信号２２ａ，２２ｂは、各ケーブル３１ｃ内でキャンセルされてしまう。サーチコイル１７で検知された探査信号を入力する受信器１０は、この探査信号の位相と探査対象ケーブル３１ａに印加された探査信号２２ａの位相が同じであるとき、探査信号を検知したケーブルを探査対象ケーブル３１ａとして特定する。【選択図】図１
2011127985.tif 000002
【特許請求の範囲】
【請求項１】
複数のケーブルのうち探査対象の第１ケーブルに第１電気信号を印加し、前記第１電気信号が印加されているとき、前記複数のケーブルに含まれた他のケーブルである第２ケーブルに、前記第１電気信号と振幅の正負が反転している第２電気信号を印加し、信号検知装置を用いて前記ケーブルを伝播する電気信号を検知し、検知された前記電気信号の位相に基づいて前記第１ケーブルを判別することを特徴とするケーブル探査方法。
【請求項２】
前記第１ケーブルの前記判別において、前記検知された電気信号の位相が前記第１電気信号の位相と同じであるとき、前記検知された電気信号を検知した前記ケーブルを前記第１ケーブルであると特定する請求項１に記載のケーブル探査方法。
【請求項３】
前記検知された電気信号の位相が、前記第１電気信号の位相と逆になっている、及び前記第２電気信号の位相と同じであるのいずれかであるとき、前記検知された電気信号を検知した前記ケーブルを前記第２ケーブルであると特定する請求項１または２に記載のケーブル探査方法。
【請求項４】
前記第２電気信号が前記第１電気信号を反転することによって生成される請求項１ないし３のいずれか１項に記載のケーブル探査方法。
【請求項５】
前記第１電気信号が第１タイミング信号及び第１位相信号を含んでおり、前記第２電気信号が前記第１タイミング信号と振幅の正負が反転している第２タイミング信号及び前記第１位相信号と振幅の正負が反転している第２位相信号を含んでおり、前記第１ケーブルの前記判別が、前記検知された電気信号に含まれている前記位相信号の位相に基づいて行われる請求項１に記載のケーブル探査方法。
【請求項６】
前記第１電気信号が第１タイミング信号及び第１位相信号を含んでおり、前記第２電気信号が前記第１タイミング信号と振幅の正負が反転している第２タイミング信号及び前記第１位相信号と振幅の正負が反転している第２位相信号を含んでおり、前記第１ケーブルの前記判別が、前記検知された電気信号に含まれている前記位相信号の位相が、前記第１電気信号に含まれた第１位相信号の位相と一致したとき、前記検知された電気信号を検知した前記ケーブルを前記第１ケーブルであると特定する請求項３に記載のケーブル探査方法。
【請求項７】
前記検知された電気信号に含まれる位相信号の開始時点を、前記検知された電気信号に含まれるタイミング信号に基づいて決定する請求項５又は６に記載のケーブル探査方法。
【請求項８】
前記第１及び第２電気信号が送信装置で生成され、前記送信装置に接続された第１電磁変換装置が前記第１ケーブルに装着され、前記送信装置に接続された第２電磁変換装置が前記第２ケーブルに装着され、前記送信装置から出力された前記第１電気信号が、前記第１電磁変換装置から前記第１ケーブルに印加され、前記送信装置から出力された前記第２電気信号が、前記第２電磁変換装置から前記第２ケーブルに印加される請求項１ないし６のいずれか１項に記載のケーブル探査方法。
【請求項９】
前記第１電気信号が前記第１ケーブルに印加され、前記第２電気信号が前記第２ケーブルに印加された状態で、前記複数のケーブルのうちで前記第１及び第２ケーブル以外の前記ケーブルに電流が流れているとき、前記第１電磁変換装置を前記第１ケーブルから取り外し、取り外した前記第１電磁変換装置を前記第１及び第２ケーブル以外の、新たに前記第１ケーブルになる他の前記ケーブルに装着し、その後、前記第１電気信号を、前記第１電磁変換装置から、前記第１電磁変換装置が装着された前記他のケーブルに印加し、前記第２電気信号を前記第２電磁変換装置から前記第２ケーブルに印加する請求項８に記載のケーブル探査方法。
【請求項１０】
前記第１電気信号が前記第１ケーブルに印加され、前記第２電気信号が前記第２ケーブルに印加された状態で、前記複数のケーブルのうちで前記第１及び第２ケーブル以外の前記ケーブルに電流が流れているとき、前記第２電磁変換装置を前記第２ケーブルから取り外し、取り外した前記第２電磁変換装置を前記第１及び第２ケーブル以外の、新たに前記第２ケーブルになる他の前記ケーブルに装着し、その後、前記第１電気信号を前記第１電磁変換装置から前記第１ケーブルに印加し、前記第２電気信号を、前記第２電磁変換装置から、前記第２電磁変換装置が装着された前記他のケーブルに印加する請求項８に記載のケーブル探査方法。
【請求項１１】
前記第２電気信号の前記第２ケーブルへの印加が停止されている状態で前記第１電気信号を前記第１電磁変換装置から前記第１ケーブルに印加し、前記第２電気信号の前記第２ケーブルへの印加が停止されて前記第１電気信号が前記第１ケーブルに印加されている状態で前記複数のケーブルのうちで前記第１ケーブル以外の前記ケーブルに流れている電流の位相が前記第１ケーブルに印加された前記第１電気信号の位相と逆になっているとき、前記第２電気信号を前記第２電磁変換装置から前記第２ケーブルに印加し、その後、前記第１電気信号が前記第１ケーブルに印加されて前記第２電気信号が前記第２ケーブルに印加されている状態で、前記信号検知装置を用いた前記電気信号の検知を行う請求項８に記載のケーブル探査方法。
【請求項１２】
前記第２電気信号の前記第２ケーブルへの印加が停止されて前記第１電気信号が前記第１ケーブルに印加されている状態で前記第１ケーブルだけに電流が流れているとき、前記第１電磁変換装置を前記第１ケーブルから取り外し、取り外した前記第１電磁変換装置を前記第１及び第２ケーブル以外の、新たに前記第１ケーブルになる他の前記ケーブルに装着し、その後、前記第２電気信号の前記第２ケーブルへの印加が停止されている状態で、前記第１電気信号を、前記第１電磁変換装置から、前記第１電磁変換装置が装着された前記他のケーブルに印加する請求項１１に記載のケーブル探査方法。
【請求項１３】
前記第２電気信号の前記第２ケーブルへの印加の停止が、前記送信装置と前記第２電磁変換装置を接続している開閉装置を開くことによって行われ、前記第２電気信号の前記第２ケーブルへの印加が前記開閉装置を閉じることによって行われる請求項１１又は１２に記載のケーブル探査方法。
【請求項１４】
前記第１ケーブルに第１磁電変換装置を装着し、前記第２ケーブルに第２磁電変換装置を装着し、前記第１磁電変換装置により前記第１ケーブルに印加した前記第１電気信号を検出し、前記第２磁電変換装置により前記第２ケーブルに印加した前記第２電気信号を検出し、前記第１磁電変換装置により検出された前記第１電気信号の強度及び前記第２磁電変換装置により検出された前記第２電気信号の強度に基づいて、前記第１電磁変換装置に入力される前記第１電気信号及び前記第２電磁変換装置に入力される前記第２電気信号のいずれかの強度を調節する請求項８に記載のケーブル探査方法。
【請求項１５】
前記第１ケーブルの前記判別が、前記信号検知装置に接続される受信装置で行われる請求項１ないし１４のいずれか１項に記載のケーブル探査方法。
【請求項１６】
前記第１及び第２電気信号の周波数が、１００ｋＨｚから５ＭＨｚの範囲に含まれる周波数である請求項１ないし１５のいずれか１項に記載のケーブル探査方法。
【請求項１７】
第１電気信号及び前記第１電気信号と振幅の正負が反転している第２電気信号をそれぞれ生成する送信装置と、前記送信装置に接続されて前記第１電気信号を探査対象である第１ケーブルに印加する第１電磁変換装置と、前記送信装置に接続されて前記第２電気信号を前記第１ケーブルとは異なる第２ケーブルに印加する第２電磁変換装置と、ケーブルを伝播する電気信号を検知する信号検知装置と、前記信号検知装置に接続され、検知された前記電気信号の位相に基づいて前記第１ケーブルを判別する受信装置とを供えたことを特徴とするケーブル探査装置。
【請求項１８】
前記送信装置が、前記第１電磁変換装置に接続されて前記第１電気信号を生成する信号生成装置、及び前記信号生成装置及び前記第２電磁変換装置に接続され、前記第１電気信号を反転して前記第２電気信号を生成する信号反転装置を有する請求項１７に記載のケーブル探査装置。
【請求項１９】
前記受信装置が、前記信号検知装置に接続され、前記信号検知装置で検知した前記電気信号の位相を検出する位相検出装置、及び前記位相検出装置に接続され、検出された前記位相に基づいて、前記電気信号が検知された前記ケーブルが前記第１ケーブルであるかを判定するケーブル判定装置を有する請求項１７又は１８に記載のケーブル探査装置。
【請求項２０】
前記第１ケーブルに印加された前記第１電気信号を検出する第１磁電変換装置と、前記第２ケーブルに印加された前記第２電気信号を検出する第２磁電変換装置とを備え、
前記送信装置が、検出された前記第１電気信号及び検出された前記第２電気信号に基づいて、前記第１電磁変換装置に出力される前記第１電気信号及び前記第２電磁変換装置に出力される前記第２電気信号のいずれかの強度を調節する制御装置を有している請求項１７ないし１９のいずれか１項に記載のケーブル探査装置。
【発明の詳細な説明】
【技術分野】
【０００１】
本発明は、ケーブル探査方法及びケーブル探査装置に係り、特に、工場及び発電所等に敷設されたケーブルのうち、盤等との接続を解除するケーブルを探査するのに好適なケーブル探査方法及びケーブル探査装置に関する。
【背景技術】
【０００２】
原子力発電所等の施設内では、区画内の多数の機器に接続されたケーブルが、計画されたケーブル経路において、建屋の天井または壁に設置されたサポート部材によりサポートされたトレイ等を用いて敷設されている。これらのケーブルは、高圧動力用ケーブル、低圧動力用ケーブル、制御用ケーブル、及び計装用ケーブル（計測用ケーブルとも言う）等の用途毎に分類されている。１つのトレイ内に敷設されているケーブルの本数は、例えば高圧動力用ケーブルでは数本から十数本であり、低圧動力用ケーブルでは十数本から数十本である。一方、制御用ケーブル及び計装用ケーブルでは、ケーブルが数百本程度となる。また、ケーブル１本当たりの長さは、数十ｍから数百ｍ程度に及んでいる。
【０００３】
特開２００５−３４５３４４号公報は、フェライトまたはアモルファスで作られたリングコアを用いるケーブル探査方法を記載している。このケーブル探査方法では、送信器に接続された電磁変換素子を探査対象ケーブルに装着し、受信器に接続された磁電変換素子をあるケーブルに装着し、電磁変換素子を基点に磁電変換素子とは反対側で探査対象ケーブルにリングコアを装着する。送信器から出力された探査信号が電磁変換素子により探査ケーブルに印加される。この探査信号は、探査対象ケーブル内を磁電変換素子及びリングコアに向ってそれぞれ流れる。リングコアは、リングコアに向った探査信号をリングコアよりも先に伝送することを阻止する。このため、探査信号がリングコアの先で盤または装置を介して探査対象ケーブル以外のケーブルに回り込むことが阻止される。受信器は磁電変換素子で検出した信号の位相が探査信号の位相と同じか逆かを判定する。これらの位相が同じである場合、磁電変換素子を装着したケーブルが探査ケーブルであると判定される。
【０００４】
特開２００１−３２４５３０号公報に記載されたケーブル探査方法では、サーチコイルを用いて探査対象ケーブルを探査している。サーチコイルが受信器に接続される。サーチコイルとして、バーアンテナ式サーチコイル及びクランプアンテナ式サーチコイルを用いている。バーアンテナ式サーチコイル及びクランプアンテナ式サーチコイルは、いずれも、電磁誘導式のケーブル探知に使用される。バーアンテナ式サーチコイルは複数本のケーブルからの磁界を検出でき（検出可能範囲が広い）、クランプアンテナ式サーチコイルは１本のケーブルからの磁界を検出できる（検出可能範囲が狭い）。さらに、特開２００１−３２４５３０号公報は、探知器で検出した信号の極性が受信器からケーブルに印加した探査信号の極性と一致したときに、探知器で同じ極性の信号を検知したケーブルを探査対象ケーブルであると特定している。したがって、受信器から探査対象ケーブルに印加した探査信号によって探査対象ケーブルに隣接するケーブルに誘導電流が流れても、探査対象ケーブルを特定することができる。
【先行技術文献】
【特許文献】
【０００５】
【特許文献１】特開２００５−３４５３４４号公報
【特許文献２】特開２００１−３２４５３０号公報
【発明の概要】
【発明が解決しようとする課題】
【０００６】
特開２００１−３２４５３０号公報では、複数のケーブルの各芯線が盤に接続されているとき、これらのケーブルのうちの１本のケーブルに印加した探査信号は、盤を介して残りの全てのケーブルに回り込む。このため、盤に接続された、探査信号を印加したケーブル以外の他の全てのケーブルに、探査信号印加したケーブルとは逆の方向に電流が流れ、この電流の影響により、探査対象ケーブルの検出確率が低下する。
【０００７】
特開２００５−３４５３４４号公報では、探査信号を印加する電磁変換素子を基点にして、信号を検出する磁電変換素子とは反対側で探査対象ケーブルにリングコアを装着し、リングコアよりも先で、盤または装置等を介して探査対象ケーブル以外のケーブルに探査信号が回り込むことを防止している。しかしながら、探査対象ケーブルへのリングコアの装着は、探査対象ケーブルを含む閉ループの電流経路の形成を阻害するため、探査対象ケーブルに印加された探査信号によって探査対象ケーブルに生じる、磁電変換素子に向って流れる電流が小さくなる。このため、探査対象ケーブルの検出確率が低下する。これは、発明者らの実験によって確認された現象である。
【０００８】
本発明の目的は、探査対象ケーブルの検出確率を向上できるケーブル探査方法及びケーブル探査装置を提供することにある。
【課題を解決するための手段】
【０００９】
上記した目的を達成する本発明の特徴は、複数のケーブルのうち探査対象の第１ケーブルに第１電気信号を印加し、第１電気信号が印加されているとき、複数のケーブルに含まれた他のケーブルである第２ケーブルに、第１電気信号と振幅の正負が反転している第２電気信号を印加し、信号検知装置を用いてケーブルを伝播する電気信号を検知し、検知された電気信号の位相に基づいて第１ケーブルを判別することにある。
【００１０】
第１ケーブルに印加された第１電気信号及び第２ケーブルに印加された第２電気信号のそれぞれの振幅の正負が反転しているので、印加された第１及び第２信号が回り込む、第１及び第２ケーブル以外の他のケーブルでは、第１電気信号と第２電気信号が打ち消しあって電流が流れなくなる。しかしながら、印加された第１電気信号が第１ケーブルを、印加された、第１電気信号と振幅の正負が反転している第２電気信号が第２ケーブルをそれぞれ伝播する。このため、電気信号が伝播しているケーブルを探査することが容易であり、かつ、信号検知装置を用いて検知された、ケーブルを伝播する電気信号の位相に基づいて第１ケーブルを判別するので、第１ケーブルを判別することができ、第１ケーブルの検出確率が向上する。
【発明の効果】
【００１１】
本発明によれば、探査対象ケーブルの検出確率を向上させることができる。
【図面の簡単な説明】
【００１２】
【図１】本発明の好適な一実施例である実施例１のケーブル探査方法に用いられるケーブル探査装置の構成図である。
【図２】図１に示す送信器の詳細構成図である。
【図３】図１に示す受信器の詳細構成図である。
【図４】図１に示す送信器から出力される、振幅の正負が反転した関係にあるそれぞれの探査信号を示す説明図である。
【図５】図３に示すタイミング検出回路に入力された探査信号、及びタイミング検出回路で行われた相関演算によって得られた相関値を示す説明図である。
【図６】探査対象ケーブルに探査信号を印加し、残りの全ケーブルに探査信号を印加しない場合での、ケーブルトレイ内の全ケーブルにおける電流の流れ方向を示す説明図である。
【図７】探査信号が印加される探査対象ケーブル、及びこの探査信号と振幅の正負が反転している他の探査信号が印加される信号印加ケーブルが同じルートに存在する場合で、探査対象ケーブルが探査できるケースを示す説明図である。
【図８】探査信号が印加される探査対象ケーブル、及びこの探査信号と振幅の正負が反転している他の探査信号が印加される信号印加ケーブルが同じルートに存在する場合で、探査対象ケーブルが探査できないケースを示す説明図である。
【図９】本発明の他の実施例である実施例２のケーブル探査方法に用いられるケーブル探査装置の構成図である。
【図１０】図９に示す送信器の詳細構成図である。
【図１１】本発明の他の実施例である実施例３のケーブル探査方法において盤に接続されていない探査対象ケーブルに探査信号を印加した状態での各ケーブル（盤に接続）における電流の流れを示す説明図である。
【図１２】本発明の他の実施例である実施例３のケーブル探査方法において盤に接続されている探査対象ケーブルに探査信号を印加した状態での各ケーブル（盤に接続）における電流の流れを示す説明図である。
【図１３】本発明の他の実施例である実施例４のケーブル探査方法において盤に接続されている探査対象ケーブルに探査信号を印加した状態での各ケーブル（盤に接続）における電流の流れを示す説明図である。
【図１４】本発明の他の実施例である実施例４のケーブル探査方法において盤に接続されていない探査対象ケーブルに探査信号を印加した状態での各ケーブル（盤に接続）における電流の流れを示す説明図である。
【図１５】本発明の他の実施例である実施例５のケーブル探査方法に用いられるケーブル探査装置の送信器と電磁変換素子の接続状態を示す説明図である。
【発明を実施するための形態】
【００１３】
本発明の実施例を以下に説明する。
【実施例１】
【００１４】
本発明の好適な一実施例であるケーブル探査装置を、図１、図２及び図３を用いて説明する。本実施例のケーブル探査装置１は、送信器（送信装置）２、電磁変換素子９ａ，９ｂ、受信器（受信装置）１０及び磁電変換装置（信号検知装置）であるサーチコイル１７を備えている。送信器２は、図２に示すように、タイミング信号発生回路３、位相信号発生回路４、合成回路（信号生成装置）５、増幅器６，８及び反転器（反転装置）７を有する。タイミング信号発生回路３及び位相信号発生回路４が合成回路５に接続される。合成回路５が増幅器６及び反転器７に接続される。増幅器８が反転器７に接続される。電磁変換素子９ａ（第１電磁変換装置）が増幅器６に接続され、電磁変換素子９ｂ（第２電磁変換装置）が増幅器８に接続される。電磁変換素子９ａ，９ｂは、半割りタイプのクランプ構造であるため、ケーブル３１への取り付け、ケーブル３１からの取り外しを容易に行うことができる。
【００１５】
受信器１０は、フィルタ１１、増幅器１２、タイミング検出回路（タイミング検出装置）１３、位相検出回路（位相検出装置）１４、位相判定回路（ケーブル判定装置）１５及び表示器１６を有する。フィルタ１１がサーチコイル１７及び増幅器１２に接続され、増幅器１２がタイミング検出回路１３及び位相検出回路１４に接続される。タイミング検出回路１３が位相検出回路１４に接続され、位相検出回路１４が位相判定回路１５に接続される。表示器１６が位相判定回路１５に接続される。ケーブルを伝播する探査信号によって生じる磁束を検知するサーチコイル１７が配線３６によりフィルタ１１に接続される。サーチコイル１７の替りに、ケーブルに流れる電流を測定する磁電変換素子（信号検知装置）を用いてもよい。
【００１６】
原子力プラントでは、多数のケーブル３１が、例えば、盤（制御盤、操作盤等）３５（または機器）に接続され、ケーブルトレイ３４Ａ内に敷設されている。ケーブルトレイ３４Ａから分岐されたケーブルトレイ３４Ｂ内には、それらのケーブル３１の一部である、ルート３３に含まれる複数のケーブル３１が敷設されている。ケーブルトレイ３４Ｂとの分岐点よりも下流でのケーブルトレイ３４Ａ内には、ルート３２に含まれる複数のケーブル３１が敷設されている。ちなみに、ケーブルトレイ３４Ｂとの分岐点よりも上流、換言すれば、この分基点よりも盤３５側におけるケーブルトレイ３４Ａ内には、ルート３２及び３３に含まれる複数のケーブル３１が敷設されている。
【００１７】
ケーブル探査装置１を用いて行われる、本発明の実施例であるケーブル探査方法を、このケーブルトレイ内に敷設されたケーブル３２の探査を例にして説明する。
【００１８】
電磁変換素子９ａが、クランプ構造によって、ケーブルトレイ３４Ａ内に存在するケーブル３１のうち、探査対象のケーブル（以下、探査対象ケーブルという）３１ａに取り外し可能に非接触で取り付けられる。電磁変換素子９ｂが、クランプ構造によって、電磁変換素子９ａの側で、探査対象ケーブル（第１ケーブル）３１ａ以外のケーブル３１である他のケーブル（以下、信号印加ケーブルという）３１ｂに取り外し可能に非接触で取り付けられる。信号印加ケーブル（第２ケーブル）３１ｂは、探査対象ケーブル３１ａに隣接していてもよいし、または、探査対象ケーブル３１ａから離れていてもよい。探査対象ケーブル３１ａ及び信号印加ケーブル３１ｂ以外のケーブル３１をケーブル３１ｃという。
【００１９】
受信器１０及びサーチコイル１７が、電磁変換素子９ａ，９ｂから離れた位置、すなわち、ケーブルの探査を行いたい位置に配置される。サーチコイル１７は、例えば、ルート３２の複数のケーブル３１が敷設されているケーブルトレイ３４Ａの近くでＡ点に置かれる。図１において、受信器１０及びサーチコイル１７が、ケーブルトレイ３４Ａの近くであるＡ点とケーブルトレイ３４Ｂの近くであるＢ点に別々に配置されている。これは、受信器１０及びサーチコイル１７のそれぞれを２台用いることを意味しているのではなく、ケーブルトレイの分岐点が存在する場合には、分岐されたケーブルトレイ３４Ｂ及びケーブルトレイ３４Ａのそれぞれでケーブル探査を行うことを示している。
【００２０】
ケーブル探査装置１を用いた本実施例のケーブル探査方法を、以下に説明する。
【００２１】
ケーブル探査を開始するとき、電磁変換素子９ａが探査対象ケーブル３１ａに装着され、電磁変換素子９ｂが信号印加ケーブル３１ｂに装着された状態で、タイミング信号１８がタイミング信号発生回路３で生成され、位相信号１９が位相信号発生回路４で生成される。タイミング信号１８は、ランダムな時系列信号で構成されており、例えば、正規分布のランダムノイズが好適である。位相信号発生回路４で生成される位相信号１９は、１００ＫＨｚ〜５ＭＨｚの範囲内の周波数（例えば、１ＭＨｚ）を有する。タイミング信号１８及び位相信号１９が合成回路５に入力される。合成回路５は、タイミング信号１８及び位相信号１９に基づいて探査信号２０を生成する。タイミング信号１８及び位相信号１９を含む探査信号２０は、増幅器６及び反転器７に入力される。増幅器６に入力された探査信号２０は、増幅されて探査信号２２ａ（第１電気信号）となる。反転器７は、入力した探査信号２０の振幅を反転させる処理を行って、探査信号２０の振幅が反転した探査信号２１を生成する。この探査信号２１は、増幅器８で増幅されて探査信号２２ｂ（第２電気信号）となる。反転器７の作用により、探査信号２２ｂの振幅の正負が、探査信号２２ａの振幅の正負と反転している。このような探査信号２２ａと探査信号２２ｂは、位相が互いに１８０°ずれている。
【００２２】
探査信号２２ａは、図４に示すように、タイミング信号１８、及びこのタイミング信号１８に続く位相信号１９を含んでいる。探査信号２２ｂは、図４に示すように、タイミング信号１８ａ、及びこのタイミング信号１８ａに続く位相信号１９ａを含んでいる。タイミング信号１８ａはタイミング信号１８の振幅の正負を反転した信号であり、位相信号１９ａは位相信号１９の振幅の正負を反転した信号である。結果的に、探査信号２２ｂは、探査信号２２ａの振幅の正負を反転した信号となる。
【００２３】
探査信号２２ａは、電磁変換素子９ａから探査対象ケーブル３１ａに印加され、探査対象ケーブル３１ａの導体（例えば、芯線、又はシールド線がある場合にはシールド線）を伝播する。探査信号２２ｂは、電磁変換素子９ｂから信号印加ケーブル３１ｂに印加され、信号印加ケーブル３１ｂの導体（例えば、芯線、又はシールド線がある場合にはシールド線）を伝播する。ところで、ケーブル３１の長さは数十ｍから数百ｍ程度に及ぶ。数十ｍから数百ｍのケーブル３１においては、印加する探査信号の周波数を、例えば、数十ＭＨｚにした場合には、印加した探査信号の減衰量が多くなり、探査信号２２ａが探査対象ケーブル３１ａの端部まで伝達しなくなる。このため、探査対象ケーブル３１ａの端部でサーチコイルを用いてケーブル探査を行う場合には、ケーブル探査が困難になる恐れがある。探査信号２２ａを探査対象ケーブル３１ａの端部まで伝送させるためには、探査信号２２ａの周波数を１００ｋＨｚから５ＭＨｚの範囲内にすることが望ましいことを、発明者らが実験により確認した。しかしながら、発明者らは、探査信号２２ａの周波数を１ＭＨｚから５ＭＨｚの範囲にしたときに、探査信号２２ａのノイズレベルが小さくなることを見出した。したがって、１ＭＨｚから５ＭＨｚの範囲内の周波数を有するに探査信号２２ａをケーブル探査に利用することによって、ケーブル探査を効果的に行うことができる。また、同様に、１ＭＨｚから５ＭＨｚの範囲内の周波数を有するに探査信号２２ａを信号印加ケーブル３１ｂに印加した場合においても、結果的に、信号印加ケーブル３１ｂの探査を効果的に行うことができる。
【００２４】
ある時点で、電磁変換素子９ａから探査対象ケーブル３１ａに探査信号２２ａを印加することによって、この探査信号２２ａに対応した電流が、探査対象ケーブル３１ａにおいて、例えば、図１に示すように、右向きの白抜き矢印の方向に流れるとする。このとき、電磁変換素子９ｂから信号印加ケーブル３１ｂに探査信号２２ｂを印加することによって、この探査信号２２ｂに対応した電流が、信号印加ケーブル３１ｂにおいて、図１に示すように、左向きの黒色の矢印の方向に流れる。信号印加ケーブル３１ｂに電磁変換素子９ｂから印加された探査信号２２ｂが探査対象ケーブル３１ａに印加された探査信号２２ａと振幅の正負が反転しているので、信号印加ケーブル３１ｂに流れる電流は、探査対象ケーブル３１ａを流れる電流の向きとは逆の方向になる。
【００２５】
探査対象ケーブル３１ａに印加された探査信号２２ａによって探査対象ケーブル３１ａに生じた電流が、盤３５から探査対象ケーブル３１ａ以外の各ケーブル３１（信号印加ケーブル３１ｂを含む）に回り込む。この回り込みによって電流の流れる方向が盤３５で反転し、探査対象ケーブル３１ａ以外の各ケーブル３１には、図１に示すように、探査対象ケーブル３１ａに流れる電流の向きとは逆方向である左向きの白抜き矢印の方向に電流が流れる。また、信号印加ケーブル３１ｂに印加された探査信号２２ｂによって信号印加ケーブル３１ｂに生じた電流が、盤３５から信号印加ケーブル３１ｂ以外の各ケーブル３１（探査対象ケーブル３１ａを含む）に回り込む。この回り込みによって電流の流れる方向が盤３５で反転し、信号印加ケーブル３１ｂ以外の各ケーブル３１には、図１に示すように、信号印加ケーブル３１ｂに流れる電流の向きとは逆方向である右向きの黒色の矢印の方向に電流が流れる。
【００２６】
この結果、探査対象ケーブル３１ａには、探査信号２２ａの印加による、右向きの白抜き矢印で示される電流、及び信号印加ケーブル３１ｂに印加した探査信号２２ｂの回り込みに起因した、右向きの黒色の矢印で示される電流が流れる。信号印加ケーブル３１ｂには、探査信号２２ｂの印加による、左向きの黒色の矢印で示される電流、及び探査対象ケーブル３１ａに印加した探査信号２２ａの回り込みに起因した、左向きの白抜き矢印で示される電流が流れる。探査対象ケーブル３１ａ及び信号印加ケーブル３１ｂ以外の各ケーブル３１ｃでは、探査対象ケーブル３１ａに印加した探査信号２２ａの回り込みに起因した、左向きの白抜き矢印で示される電流、及び信号印加ケーブル３１ｂに印加した探査信号２２ｂの回り込みに起因した、右向きの黒色の矢印で示される逆方向の電流が流れる。黒色の矢印で示される電流は、白抜き矢印で示される電流の振幅の正負を反転させた振幅を有する。結果的に、黒色の矢印で示される電流の位相は、白抜き矢印で示される電流の位相と１８０°ずれている。
【００２７】
各ケーブル３１ｃでは、探査対象ケーブル３１ａ及び信号印加ケーブル３１ｂのそれぞれに印加した探査信号の回りこみによって生じる各電流、具体的には、図１における白抜き矢印の方向に流れる電流と黒色の矢印の方向に流れる電流が互いに逆方向に流れ、両者の電流の振幅の正負が反転しているため、これらの電流は相互に干渉して打ち消される。この結果、ケーブル３１ｃには電流が流れない。探査対象ケーブル３１ａでは、探査信号２２ａの印加によって生じる白抜き矢印の方向の電流、及び信号印加ケーブル３１ｂへの探査信号２２ｂの印加によって回り込む黒色矢印の方向の電流が同じ方向に流れる。両者の電流は、互いに同じ位相になるので、相互作用によってより強い電流（探査信号２２ａ）になる。この強度が高められた電流が、探査対象ケーブル３１ａ内を、ケーブルトレイ３４ＡのＡ点（サーチコイル１７の設置位置）に向って流れる。
【００２８】
信号印加ケーブル３１ｂでは、探査信号２２ｂの印加によって生じる黒色の矢印の方向の電流、及び探査対象ケーブル３１ａへの探査信号２２ａの印加によって回り込む白抜き矢印の方向の電流が同じ方向に流れる。信号印加ケーブル３１ｂを流れる両者の電流は、互いに同じ位相になるので、相互作用によってより強い電流（探査信号２２ｂ）になる。この強度が高められて信号印加ケーブル３１ｂに流れる電流の向きは、強度が高められて探査対象ケーブル３１ａを流れる電流の向きとは逆になっており、前者の電流の位相も後者の電流の位相と逆になっている。これは、信号印加ケーブル３１ｂに印加される探査信号２２ｂの位相が、探査対象ケーブル３１ａに印加される探査信号２２ａの位相と１８０°ずれているからである。
【００２９】
強度が高められて探査対象ケーブル３１ａを流れる電流は、Ａ点で、非接触のサーチコイル１７によって探査信号２２ａ（図５参照）として受信される。受信された探査信号２２ａは、図４に示す送信された探査信号２２ａと同じである。結果的に、電磁変換素子９ａから印加された探査信号２２ａが、探査対象ケーブル３１ａを伝送してサーチコイル１７によって受信されたことになる。フィルタ１１は、配線３６を通してサーチコイル１７から出力された探査信号２２ａを入力し、ノイズである設定レベル以下の信号を除去する。フィルタ１１でノイズを除去された探査信号２２ａは、増幅器１２で増幅されてタイミング検出回路１３及び位相検出回路１４に入力される。タイミング検出回路１３は、探査信号２２ａに含まれるタイミング信号１８と同じ波形を有する設定タイミング信号の情報を記憶している。
【００３０】
タイミング検出回路１３が、入力した探査信号２２ａに含まれたタイミング信号１８及び記憶している設定タイミング信号の情報を用いて相関演算を行い、相関値のピーク（図５参照）を求める。この相関値ピークが生じる時点が、探査信号２２ａに含まれた位相信号１９の開始点になる。タイミング検出回路１３が、相関演算で算出したタイミング信号１８の相関値の情報（相関値ピークを含む）を位相検出回路１４に出力する。位相検出回路１４が、相関値ピークが生じる時点を起点にして、増幅器１２から入力した探査信号２２ａに含まれた位相信号１９の位相情報を求める。具体的には、位相検出回路１４が、相関値ピークが生じる時点を起点にして、ｓｉｎ（２πｆｔ＋φ）で表される位相信号１９の位相φの値を算出する。ここで、ｆは位相信号１９の周波数である。相関値ピークが生じる時点が位相信号１９の開始点である。
【００３１】
位相判定回路１５が、求められた位相φを入力し、入力した位相φと位相信号発生回路４で生成された位相信号１９の位相を比較する。両者の位相が同じであれば、位相判定回路１５は、探査信号２２ａを検出したケーブル３１が探査対象ケーブル３１ａであると判定する。この判定情報、すなわち、ルート３２に含まれる、探査対象ケーブル３１ａであるケーブル３１の情報が、位相判定回路１５から表示器１６に出力され、表示器１６に表示される。
【００３２】
位相判定回路１５が、位相検出回路１４から入力した位相情報と位相信号発生回路４で生成された位相信号１９の位相を比較して、両者の位相が逆位相である（位相が１８０°ずれている）と判定したとき、探査信号を検出したケーブル３１が信号印加ケーブル３１ｂであると判定する。この判定結果は、例えば、受信器１０及びサーチコイル１７を、実際には信号印加ケーブル３１ｂを含むルート３３の複数のケーブル３１が敷設されている分岐されたケーブルトレイ３４Ｂの側に置き、サーチコイル１７をＢ点に配置したときに得られる。サーチコイル１７が、信号印加ケーブル３１ｂを伝播してくる探査信号２２ｂを検出する。検出されたこの探査信号２２ｂを入力した受信器１０が、前述した探査信号２２ａに対する処理と同様な処理を行い、探査信号２２ｂを検出したケーブル３１が信号印加ケーブル３１ｂであると判定する。これは、検出された探査信号２２ｂに含まれた位相信号１９ｂの位相φが位相信号発生回路４で生成された位相信号１９の位相と逆になっているからである。
【００３３】
以上のようにして、ケーブルトレイ内に敷設された１本の探査対象ケーブル３１ａに対するケーブル探査が終了する。探査すべきケーブル３１が複数本ある場合には、次の探査対象ケーブル３１ａに対して、ケーブル探査装置１を用いた本実施例のケーブル探査が行われる。
【００３４】
本実施例では、探査対象ケーブル３１ａに電磁変換素子９ａを取り付けて探査信号２２ａを印加し、ケーブルトレイに敷設された複数のケーブル３１のうち探査対象ケーブル３１ａとは異なる別のケーブル３１である信号印加ケーブル３１ｂに電磁変換素子９ｂを取り付けて、探査信号２２ａと振幅の正負が反転している探査信号２２ｂを印加するので、ケーブルトレイ内に敷設された複数のケーブル３１ｃでは、前述したように、白抜き矢印の方向に流れる電流と黒色矢印の方向に流れる電流は、互いに逆方向に流れて打ち消されてしまう。このため、これらのケーブル３１ｃには、電流が流れない。これに対し、探査対象ケーブル３１ａには、位相信号発生回路４で生成された位相信号１９と同じ位相の位相信号を含む探査信号２２ａによる電流が流れ、信号印加ケーブル３１ｂには、位相信号発生回路４で生成された位相信号１９と振幅の正負が反転した逆位相の位相信号１９ａを含む探査信号２２ｂによる電流が流れる。
【００３５】
ルート３２に含まれる複数のケーブル３１をＡ点でサーチコイル１７を走査して探査したとき、これらのケーブル３１のうち複数のケーブル３１ｃには電流が流れないため、確実に探査対象ケーブル３１ａからの探査信号２２ａをサーチコイル１７で受信できるので、電磁変換素子９ａを取り付けた位置から離れているＡ点で探査対象ケーブル３１ａを確実に認識することができる。また、ルート８に含まれる複数のケーブル３１をＢ点でサーチコイル１７を走査して探査した場合には、複数のケーブル３１ｃには電流が流れないので、信号印加ケーブル３１ｂを伝播する探査信号２２ｂをサーチコイル１７により受信することができる。しかしながら、受信器１０では、受信した探査信号２２ｂに含まれた位相信号１９ａの位相が位相信号発生回路４で生成された位相信号１９と逆位相になっているので、その受信器１０は、ケーブルトレイ３４Ｂ内に敷設されたルート３３の複数のケーブル３１には、探査対象ケーブル３１ａが含まれていないと判定する。
【００３６】
ここで、ケーブル探査装置１を用いた場合で、電磁変換素子９ａを探査対象ケーブル３１ａに取り付け、電磁変換素子９ｂをケーブル３１に取り付けない場合を考える。電磁変換素子９ａから探査対象ケーブル３１ａに探査信号２２ａが印加されるが、探査対象ケーブル３１ａ以外のケーブル３１には探査信号（探査信号２２ａまたは２２ｂ）が印加されない。探査対象ケーブル３１ａに印加した探査信号２２ａが盤３５を介して探査対象ケーブル３１ａ以外の各ケーブル３１に回り込むので、これらのケーブル３１にも電流が流れる。この結果、探査対象ケーブル３１ａでは、図１に示す右向きの白抜きの矢印の方向に電流が流れ、探査対象ケーブル３１ａ以外の各ケーブル３１（以下、ケーブル３１ｄ（図６参照）という）には、図１に示す左向きの白抜きの矢印の方向に電流が流れる。電磁変換素子９ｂをケーブル３１ｄに取り付けないので、図１に示す、黒色の矢印で示される電流が、探査対象ケーブル３１ａを含む全てのケーブル３１に流れない。
【００３７】
このような状態で、サーチコイル１７により、ルート３２及び３３をそれぞれ探査する。ルート３２ではＡ点で、ルート３３ではＢ点で、サーチコイル１７を走査してケーブル探査が行われる。それぞれのルートにおいてケーブルトレイ上でサーチコイル１７を走査してケーブル探査を行うことにより、位相信号発生回路４で生成された位相信号１９と同位相の位相信号を有する探査信号が検出されたルートを、探査対象ケーブル３１ａを含むルートと判定する。前述したように、探査対象ケーブル３１ａでは右方向に電流が流れるのに対して、これ以外の各ケーブル３１ｄでは左方向に電流が流れる。このとき、ルート３２では、図１において、右向きで、位相信号発生回路４で生成された位相信号１９と同位相の位相信号を有する探査信号と、左向きで、位相信号発生回路４で生成された位相信号１９と逆位相の位相信号を有する信号が混在する。
【００３８】
探査対象ケーブル３１ａに探査信号２２ａを印加し、残りの全ケーブル３１ｃに探査信号を印加しない場合において、Ａ点でのケーブルトレイ３４Ａの縦断面での各ケーブル３１における電流の流れ方向を図６に示す。図６では、図面の裏側から表側に向って流れる電流を二重丸で、逆に、図面の表側から裏側に向って流れる電流を○内に×印を付した記号で表している。探査対象ケーブル３１ａでは図面の裏側から表側に向って電流が流れ、すべてのケーブル３１ｄでは図面の表側から裏側に向って電流が流れる。Ａ点において、探査対象ケーブル３１ａの周りに存在するケーブル３１のすべてが、探査対象ケーブル３１ａと逆向きの電流が流れているケーブル３１ｄであり、これらのケーブル３１ｄが探査対象ケーブル３１ａの近くに存在するため、サーチコイル１７を走査しても、探査対象ケーブル３１ａを流れる同位相の信号を検出することができない。このため、ルート３２に探査対象ケーブル３１ａが存在していると判定することができない。
【００３９】
しかしながら、本実施例は、探査対象ケーブル３１ａに探査信号２２ａを印加すると共に、探査対象ケーブル３１ａとは異なる信号印加ケーブル３１ｂに、探査信号２２ａと振幅の正負が反転している探査信号２２ｂを印加するので、探査対象ケーブル３１ａ及び信号印加ケーブル３１ｂ以外の全てのケーブル３１ｃに電流が流れなくなり、前述したように、探査対象ケーブル３１ａを確実に探査することができる。このため、本実施例における探査対象ケーブルの検出確率が向上する。
【００４０】
信号印加ケーブル３１ｂが他の探査対象ケーブルである場合には、Ｂ点でサーチコイル１７を用いた探査を行なうことによって、探査ケーブル３１ａの場合と同様に、他の探査対象ケーブルである信号印加ケーブル３１ｂの検出確率を向上させることができる。Ｂ点でサーチコイル１７により検知した信号に含まれる位相信号の位相が、受信器１０の位相判定回路１５で、位相信号発生回路４で生成された位相信号１９の位相と逆であると判定されたとき、検知された信号を伝播するケーブル３１が、他の探査対象ケーブルである信号印加ケーブル３１ｂであると特定することができる。このように、本実施例は、２本の探査対象ケーブルのうちの１本に探査信号２２ａを印加し、他の１本に探査信号２２ａと位相が逆になっている探査信号２２ｂを印加することによって、２本の探査対象ケーブルをそれぞれ特定することができる。これにより、ケーブル探査に要する時間を著しく短縮することができる。
【００４１】
信号印加ケーブル３１ｂの特定は、Ｂ点でサーチコイル１７により検知した信号に含まれる位相信号の位相が、受信器１０の位相判定回路１５で、位相信号１９の位相を反転させる反転器７から出力された位相信号１９ａと同じであるとき、検知された信号を伝播するケーブル３１が、他の探査対象ケーブルである信号印加ケーブル３１ｂであると特定することができる。
【００４２】
図７に示すように、探査対象ケーブル３１ａ及び他の探査対象ケーブルである信号印加ケーブル３１ｂが同じケーブルトレイ内に敷設されている場合でも、印加されるそれぞれの探査信号２２ａ、２２ｂの位相が互いに逆になっているので、探査対象ケーブル３１ａ及び他の探査対象ケーブルである信号印加ケーブル３１ｂをそれぞれ特定することができる。
【００４３】
特開２００５−３４５３４４号公報は、探査信号を印加する探査対象ケーブルにリングコアを取り付けてその探査信号が探査対象ケーブル以外の他のケーブルに回り込むのを防止し、信号の回り込みによる悪影響を避けている。これに対して、本実施例は、探査信号の他のケーブルへの回り込みを防止していない。本実施例は、探査対象ケーブル３１ａとは異なる信号印加ケーブル３１ｂに、探査対象ケーブル３１ａに印加する探査信号２２ａと振幅の正負が反転している探査信号２２ｂを印加することにより、探査信号２２ａ，２２ｂが回り込むケーブル３１ｃで電流が流れるのを防止している。この結果、本実施例でも、探査信号の他のケーブルへの回り込みによる悪影響、すなわち、ケーブル探査が困難になることを解消できる。
【００４４】
特開２００５−３４５３４４号公報のように、探査対象ケーブルにリングコアを装着した場合には、前述したように、探査対象ケーブルを含む閉ループの電流経路の形成が阻害されるので、印加された探査信号によって探査対象ケーブルに流れる電流が小さくなり、探査対象ケーブルの検出確率が低下する。しかしながら、本実施例は特開２００５−３４５３４４号公報のように探査対象ケーブルにリングコアを装着しないので、探査信号２２ａの印加によって探査対象ケーブル３１ａに流れる電流、及び探査信号２２ｂの印加によって、探査対象ケーブル３１ａとは別のケーブルである信号印加ケーブル３１ｂに流れる電流は小さくならない。このため、本実施例は、特開２００５−３４５３４４号公報よりも探査対象ケーブル２２ａの検出確率が向上する。Ｂ点付近に受信器１０を置いてＢ点でサーチコイル１７によるケーブルの探査を行った場合には、特開２００５−３４５３４４号公報よりも信号印加ケーブル３１ｂの検出確率を向上できる。
【００４５】
さらに、本実施例は、信号印加ケーブル３１ｂに印加された探査信号２２ｂの探査対象ケーブル３１ａへの回り込みによって、探査信号２２ａの印加によって探査対象ケーブル３１ａに流れる電流がさらに強められる。このため、探査対象ケーブル３１ａ及び信号印加ケーブル３１ｂ以外の全ケーブル３１ｃに電流が流れないこととあいまって、Ａ点での探査対象ケーブル３１ａの検出確率がさらに向上する。
【００４６】
探査対象ケーブル３１ａに印加された探査信号２２Ａの信号印加ケーブル３１ｂへの回り込みによって、探査信号２２ｂの印加によって信号印加ケーブル３１ｂに流れる電流がさらに強められる。このため、探査対象ケーブル３１ａ及び信号印加ケーブル３１ｂ以外の全ケーブル３１ｃに電流が流れないこととあいまって、Ｂ点での他の探査対象ケーブルである信号印加ケーブル３１ｂの検出確率がさらに向上する。
【００４７】
本実施例は、探査対象ケーブル３１ａに探査信号２２ａを印加し、別の信号印加ケーブル３１ｂに探査信号２２ａと位相が逆になっている探査信号２２ｂを印加しているので、探査対象ケーブル３１ａ及び信号印加ケーブル３１ｂ以外の全てのケーブル３１ｃに電流が流れなくなり、特開２００１−３２４５３０号公報に比べて、探査対象ケーブル３１ａの検出確率を向上させることができる。信号印加ケーブル３１ｂの検出確率も、同様に向上する。
【００４８】
探査対象ケーブルに印加される探査信号の周波数は数百Ｈｚから数ｋＨｚである。この周波数範囲では、特開２００５−３４５３４４号公報では、リングコアであるフェライトコア（またはアモルファスコア）のインピーダンスが、数百ＨｚでほぼゼロΩ、数ｋＨｚで数Ω程度と低くなりすぎる。このため、探査対象ケーブルに印加した探査信号の他のケーブルへの回り込みを、フェライトコア（またはアモルファスコア）によって防止することは困難である。
【００４９】
探査信号の周波数を高くすればフェライトコア（またはアモルファスコア）のインピーダンスを大きくできる。しかしながら、探査対象であるケーブルの長さは数十ｍから数百ｍ程度に及んでおり、数十ｍから数百ｍケーブルに対して、例えば、数十ＭＨｚの探査信号を印加した場合には、探査信号の減衰量が増大し、探査信号がケーブル端部まで伝達されなくなる。このため、探査対象ケーブルに印加された探査信号を磁電変換素子で検出できないという新たな問題が生じる。また、印加された探査信号の周波数が数十ＭＨｚよりも小さい場合には、探査信号の減衰量が低下するが、フェライトコア（またはアモルファスコア）による他のケーブルへの探査信号の回り込み防止の効果が小さくなる。
【００５０】
これに対して、本実施例は、数十ＭＨｚよりも小さい１００ＫＨｚ〜５ＭＨｚの範囲内の周波数を有する探査信号２２ａ，２２ｂを用いているので、これらの探査信号を数十ｍから数百ｍのケーブル３１に印加しても、各探査信号の減衰量が小さい。このため、探査信号２２ａ，２２ｂが探査対象ケーブル３１ａ及び信号印加ケーブル３１ｂのそれぞれの端部まで到達するので、サーチコイル１７をこれらのケーブルの端部に配置しても、探査対象ケーブル３１ａの探査が可能になる。したがって、探査対象ケーブル３１ａの途中でのケーブル探査が不要になり、ケーブル探査に要する時間を短縮することができる。発明者等は、１００ＫＨｚ〜５ＭＨｚの範囲内の周波数を有する探査信号２２ａ，２２ｂが、数十ｍから数百ｍのケーブル３１の端部まで到達することを、実験で確認している。
【００５１】
本実施例は、１００ＫＨｚ〜５ＭＨｚの範囲内の周波数を有する探査信号２２ａ，２２ｂを用いているので、サーチコイル１７による探査信号の検出感度が向上する。このため、探査信号が検出しやすくなる。探査信号２２ａ，２２ｂの周波数が、１００ＫＨｚ未満または５ＭＨｚよりも大きくなった場合には、サーチコイル１７による探査信号の検出感度が低下する。さらに、１ＭＨｚ〜５ＭＨｚの範囲内の周波数を有する探査信号は、ノイズレベルが低く、ケーブル探査に利用すると効果的である。
【００５２】
本実施例のケーブル探査装置１は、探査対象ケーブル３１ａと信号印加ケーブル３１ｂが１つのケーブルトレイから分かれた別々のルートに敷設されている第１ケース（図１参照）だけでなく、探査対象ケーブル３１ａ及び信号印加ケーブル３１ｂが同一のルートに存在する第２ケースにおけるケーブル探査にも適用することができる。後者の第２ケースにおいても、ケーブル探査装置１を用いて、図１に示された第１ケースと実質的に同様に、ケーブル探査を行うことができる。
【００５３】
第２ケースにおけるケーブル探査について、説明する。探査対象ケーブル３１ａ及び信号印加ケーブル３１ｂが、同じルート（例えば、図１に示されたルート３２）に存在しているとする（図７参照）。探査対象ケーブル３１ａが水平方向においてＰ１列に存在し、信号印加ケーブル３１ｂが水平方向において探査対象ケーブル３１ａから３行離れたＰ２列に存在する。サーチコイル１７がルート３２のＡ点に配置される。ケーブル探査装置１の電磁変換素子９ａが探査対象ケーブル３１ａに非接触で取り付けられ、電磁変換素子９ｂが信号印加ケーブル３１ｂに非接触で取り付けられる。第１ケースと同様に、送信器２で生成された探査信号２２ａが電磁変換素子９ａから探査対象ケーブル３１ａに印加され、送信器２で生成された探査信号２２ｂが電磁変換素子９ｂから信号印加ケーブル３１ｂに印加される。ルート３２に存在する全てのケーブル３１ｃには、探査信号２２ａ，２２ｂの回り込みにより、第１ケースと同様に電流が流れない。このため、Ａ点でサーチコイル１７をケーブルトレイ３４Ａの上方で走査しても全てのケーブル３１ｃでは信号が検出されない。
【００５４】
第１ケースと同様に、探査対象ケーブル３１ａには図１において右向きの電流が流れ、信号印加ケーブル３１ｂには図１において左向きの電流が流れる。ケーブルトレイ３４Ａの上方で走査されたサーチコイル１７がＰ１列の真上に来たとき、サーチコイル１７が探査対象ケーブル３１ａを流れる電流を探査信号２２ａとして受信する。サーチコイル１７で受信された探査信号２２ａが、第１ケースと同様に、受信器１０で処理される。サーチコイル１７がＰ２列の真上に来たとき、サーチコイル１７が探査対象ケーブル３１ｂを流れる電流を探査信号２２ｂとして受信する。サーチコイル１７で受信された探査信号２２ｂが、第１ケースと同様に、受信器１０で処理される。受信した探査信号２２ａに含まれる位相信号１９の位相φが位相信号発生回路４で生成された位相信号１９の位相と同一であるので、受信器１０の位相判定回路１５は、探査信号２２ａを受信したケーブル３１が探査対象ケーブル３１ａであると判定する。また、受信した探査信号２２ｂに含まれる位相信号１９の位相φが位相信号発生回路４で生成された位相信号１９の位相と逆位相になっているので、位相判定回路１５は、探査信号２２ｂを受信したケーブル３１が、信号印加ケーブル３１ｂであって探査対象ケーブル３１ａでないと判定する。
【００５５】
本実施例は、サーチコイル１７を走査する位置で同じルートに探査対象ケーブル３１ａ及び信号印加ケーブル３１ｂが存在する場合でも、探査対象ケーブル３１ａを確実に探査することができる。
【００５６】
しかしながら、探査対象ケーブル３１ａ及び信号印加ケーブル３１ｂが同じルートに存在するとき、サーチコイル１７の走査によっても探査対象ケーブル３１ａを特定できない場合がある。これは、図８に示すように、Ｐ１列に、探査対象ケーブル３１ａ及び信号印加ケーブル３１ｂが配置されているときである。このときには、走査によりサーチコイル１７がＰ１列の上に来たとき、信号印加ケーブル３１ｂに流れる、逆位相の探査信号２２ｂに起因する電流の影響を受けて、探査対象ケーブル３１ａから探査信号２２ａがサーチコイル１７によって受信できない可能性がある。このときには、現時点の信号印加ケーブル３１ｂから電磁変換素子９ｂを外して別のケーブル３１ｃに電磁変換素子９ｂを取り付ける。電磁変換素子９ｂが取り付けられたケーブル３１ｃが、新たな信号印加ケーブル３１ｂになる。この信号印加ケーブル３１ｂに電磁変換素子９ｂから探査信号２２ｂを印加する。新たな信号印加ケーブル３１ｂが、図７のように、探査対象ケーブル３１ａから離れることによって、Ａ点において探査対象ケーブル３１ａを特定することができる。
【００５７】
本実施例は、盤３５に接続された各ケーブル３１の抵抗が等しい場合のケーブル探査に適用される。
【００５８】
サーチコイル１７の替りに、磁電変換素子である磁界プローブ、ループアンテナ、磁界探触子及びホール素子等のいずれかを用いてもよい。
【実施例２】
【００５９】
本発明の他の実施例であるケーブル探査装置を、図９及び図１０を用いて説明する。本実施例のケーブル探査装置１Ａは、ケーブル探査装置１において送信器２を送信器２Ａに替え、磁電変換素子９ｃ，９ｄを追加した構成を有する。ケーブル探査装置１Ａの他の構成はケーブル探査装置１と同じである。ケーブル探査装置１Ａの、ケーブル探査装置１と異なっている部分について説明する。
【００６０】
送信器２Ａは、送信器２において増幅器６，８を可変増幅器６ａ，８ａに替え、フィルタ３７ａ，３７ｂ、増幅器３８ａ，３８ｂ、レベル演算回路３９ａ，３９ｂ及び制御回路（制御装置）４０を追加した構成を有する。可変増幅器６ａ（第１信号強度調節装置）が、増幅器６の替りに用いられ、合成回路５及び電磁変換素子９ａに接続される。可変増幅器８ａ（第２信号強度調節装置）が、増幅器８の替りに用いられ、反転器７及び電磁変換素子９ｂに接続される。制御回路４０が、可変増幅器６ａ，８ａにそれぞれ接続され、レベル演算回路３９ａ，３９ｂにも接続される。増幅器３８ａがレベル演算回路３９ａに接続され、フィルタ３７ａが、増幅器３８ａ及び磁電変換素子９ｃ（第１磁電変換装置）に接続される。増幅器３８ｂがレベル演算回路３９ｂに接続され、フィルタ３７ｂが増幅器３８ｂ及び磁電変換素子９ｄ（第２磁電変換装置）に接続される。
【００６１】
ケーブル探査装置１Ａを用いた本実施例のケーブル探査方法について、説明する。実施例１と同様に、電磁変換素子９ａが探査対象ケーブル３１ａに非接触にて装着され、電磁変換素子９ｂが信号印加ケーブル３１ｂとなるケーブル３１に非接触にて装着される。本実施例では、さらに、磁電変換素子９ｃが探査対象ケーブル３１ａに非接触にて装着される。磁電変換素子９ｄが信号印加ケーブル３１ｂに非接触にて装着される。
【００６２】
合成回路５から出力された、タイミング信号１８及び位相信号１９を含む探査信号２０が、可変増幅器６ａで増幅され、探査信号２２ａとして、電磁変換素子９ａから探査対象ケーブル３１ａに印加される。探査信号２０は、反転器７で振幅が反転されて探査信号２０となる。探査信号２０は、可変増幅器８ａで増幅され、探査信号２２ｂとして、電磁変換素子９ｂから信号印加ケーブル３１ｂに印加される。
【００６３】
磁電変換素子９ｃは、探査信号２２ａの印加により探査対象ケーブル３１ａに流れる電流を検出する。磁電変換素子９ｃが、検出した電流を信号に変換してフィルタ３７ａに伝える。所定の帯域の周波数を有する信号が、フィルタ３７ａを通過し、増幅器３８ａに到達する。フィルタ３７ａは、磁電変換素子９ｃから出力された信号の所定の帯域以外の周波数を除去する。増幅器３８ａで増幅された信号が、レベル演算回路３９ａに入力される。レベル演算回路３９ａが、増幅された信号の振幅を平均処理（またはローパスフィルタ処理）して信号の強度を演算する。
【００６４】
磁電変換素子９ｄは、探査信号２２ｂの印加により信号印加ケーブル３１ｂに流れる電流を検出する。磁電変換素子９ｄが、検出した電流を信号に変換してフィルタ３７ｂに伝える。所定の帯域の周波数を有する信号が、フィルタ３７ｂを通過し、増幅器３８ｂに到達する。フィルタ３７ｂは、磁電変換素子９ｄから出力された信号の所定の帯域以外の周波数を除去する。増幅器３８ｂで増幅された信号が、レベル演算回路３９ｂに入力される。レベル演算回路３９ｂが、増幅された信号の振幅を平均処理（またはローパスフィルタ処理）してレベルを演算する。
【００６５】
制御回路４０は、レベル演算回路５４ａ及び５４ｂでそれぞれ算出された各レベルに基づいて可変増幅器６ａ及び８ａのそれぞれの増幅率を算出する。制御回路４０は、探査対象ケーブル３１ａと信号印加ケーブル３１ｂに流れるそれぞれの電流が同一（または予め定めた比率）になるように、可変増幅器６ａ及び８ａのそれぞれの増幅率を決定する。具体的には、制御回路４０は、探査対象ケーブル３１ａで検出された電流が信号印加ケーブル３１ｂで検出されたそれよりも大きい場合には、探査対象ケーブル３１ａに印加する探査信号２０を増幅する可変増幅器６ａの増幅率を下げ、逆に、信号印加ケーブル３１ｂで検出された電流が探査対象ケーブル３１ａで検出されたそれよりも大きい場合には、信号印加ケーブル３１ｂに印加する探査信号２１を増幅する可変増幅器８ａの増幅率を下げる。制御回路４０が、求められたそれぞれの増幅率に基づいて、可変増幅器６ａ及び可変増幅器８ａのいずれかの増幅率を調節する。可変増幅器６ａ及び可変増幅器８ａのいずれかの増幅率の調節は、可変増幅器６ａに入力された探査信号２０の強度及び可変増幅器８ａに入力された探査信号２１の強度が調節される。結果的に、探査信号２２ａまたは探査信号２２ｂの強度が調節される。
【００６６】
可変増幅器６ａ，８ａにおけるそれぞれの増幅率の調節は、Ａ点でサーチコイル１７を走査してケーブル探査を実施する前に行う。それぞれの増幅率の調節は、ケーブル探査中に常に行ってもよい。それぞれの増幅率の調節をケーブル探査の前に実施する場合には、図４に示した信号ではなく、レベル調整用信号として例えば正弦波を用いても良い。
【００６７】
探査信号２０が、可変増幅器６ａにおいて調節された増幅率に基づいて増幅され、探査信号２２ａとなって、磁電変換素子９ｃから探査対象ケーブル３１ａに印加される。
【００６８】
原子力プラント等のプラントにおいて敷設された複数のケーブルでは、ケーブル長さまたはケーブルの芯線の材質が異なって抵抗値が異なっている場合がある。例えば、１つのケーブルトレイ内に敷設された複数のケーブルの抵抗値が異なっている場合では、送信器２から探査対象ケーブル３１ａに印加する探査信号２２ａの電圧（または電流）と送信器２から信号印加ケーブル３１ｂに印加する探査信号２２ｂの電圧（または電流）を同一にすると、探査対象ケーブル３１ａに流れる電流値と信号印加ケーブル３１ｂに流れる電流値が異なってしまう。このため、探査対象ケーブル３１ａに印加された探査信号２２ａによって生じて信号印加ケーブル３１ｂ以外のケーブル３１ｃに回り込んだ電流と、信号印加ケーブル３１ｂに印加された探査信号２２ｂによって生じてこのケーブル３１ｃに回り込んだ電流が、互いに干渉しても、０にならない。したがって、図９に図示されていないが、図１においてケーブル３１に示した右向きの黒色の矢印の方向の電流と左向きの白抜きの矢印の方向の電流の差分の電流が、ケーブル３１ｃに流れることになり、探査対象ケーブル３１ａを探査することが困難になる可能性がある。
【００６９】
本実施例では、磁電変換素子９ｃで検出された探査対象ケーブル３１ａを流れる電流の値、及び磁電変換素子９ｄで検出された信号印加ケーブル３１ｂを流れる電流の値が、それぞれ送信器２Ａに入力される。送信器２Ａでは、検出されたそれぞれの電流の値に基づいて前述したような処理が行われる。制御回路４０は、レベル演算回路５４ａ及び５４ｂでそれぞれ算出された各レベルに基づいて、探査信号２２ａの印加によって探査対象ケーブル３１ａに流れる電流の値と、探査信号２２ｂの印加によって信号印加ケーブル３１ｂに流れる電流の値が等しくなるように、可変増幅器６ａの増幅率、及び可変増幅器６ｂの増幅率を調節ずる。探査対象ケーブル３１ａを流れる電流の値が、信号印加ケーブル３１ｂを流れる電流の値よりも大きい場合には、制御回路４０が可変増幅器６ａの増幅率を減少させる（または可変増幅器６ｂの増幅率を増加させる）。探査対象ケーブル３１ａを流れる電流の値が、信号印加ケーブル３１ｂを流れる電流の値よりも小さい場合には、制御回路４０が可変増幅器６ａの増幅率を増加させる（または可変増幅器６ｂの増幅率を減少させる）。
【００７０】
この結果、探査信号２２ａ（または探査信号２２ｂ）の強度が調節され、探査対象ケーブル３１ａを流れる電流の値と、信号印加ケーブル３１ｂを流れる電流の値が等しくなる。したがって、各ケーブル３１ｃでは、右向きの黒色の矢印の方向の電流及び左向きの白抜きの矢印の方向の電流が確実に打ち消され、電流が流れなくなる。サーチコイル１７の走査により、探査信号２０に含まれる位相信号１９の位相と同じ位相の位相信号１９を有する探査信号２２ａが伝播する探査対象ケーブル３１ａを確実に探査することができる。本実施例では、各ケーブル３１の抵抗が異なっている場合でも、探査対象ケーブル３１ａを確実に探査することができる。さらに、本実施例は、実施例１で生じる各効果を得ることができる。
【実施例３】
【００７１】
本発明の他の実施例である実施例３のケーブル探査方法を、図１１及び図１２を用いて説明する。本実施例のケーブル探査方法は、実施例１で用いたケーブル探査装置１を用いて行われる。
【００７２】
原子力プラントでは、幾つかの運転サイクルの運転が終了した後、系統の改造等が定期検査の期間中に行われる場合がある。系統の改造に伴って、新たに設置された機器に接続される新たなケーブルがケーブルトレイ内に敷設され、不要になった機器に接続されたケーブルが盤から取り外される。系統の改造が行われても、不要になったケーブルは、盤３５との接続状態が解除された状態（盤３５と接続されていない状態）で、長いケーブルトレイから撤去されずにケーブルトレイ内にそのまま残っている。このように、盤３５等に接続されていないケーブル３１がケーブルトレイ内に敷設されている場合でのケーブル探査について説明する。
【００７３】
ケーブル探査装置１の電磁変換素子９ａを探査対象ケーブル３１ａ１に非接触に装着する。電磁変換素子９ｂを信号印加ケーブル３１ｂに装着する。電磁変換素子９ａ，９ｂがそれぞれの該当するケーブル３１に装着された状態で、実施例１と同様に、送信器２から探査対象ケーブル３１ａ１に探査信号２２ａが、信号印加ケーブル３１ｂに探査信号２２ｂが印加される。探査対象ケーブル３１ａ１及び信号印加ケーブル３１ｂが盤３５に接続されている場合には、実施例１と同様に、サーチコイル１７で検知した探査信号２２ａを受信器１０で処理することによって、探査対象ケーブル３１ａ１を探査することができる。
【００７４】
もし、電磁変換素子９ａを装着した探査対象ケーブル３１ａ１が、系統の改造により盤３５に接続されていない状態にあるときには、探査対象ケーブル３１ａ１に、印加された探査信号２２ａによって生じる右白抜き矢印の方向に電流が流れる（図１１参照）。しかしながら、探査対象ケーブル３１ａ１が盤３５に接続されていないので、探査信号２２ａが印加された探査対象ケーブル３１ａ１から信号印加ケーブル３１ｂ及び各ケーブル３１ｃへの電流の回り込みが生じなく、信号印加ケーブル３１ｂ及び各ケーブル３１ｃには、図１に示す白抜き矢印の電流が流れない。また、探査信号２２ｂが印加された信号印加ケーブル３１ｂから探査対象ケーブル３１ａ１及び各ケーブル３１ｃへの電流の回り込みも生じない。さらに、各ケーブル３１ｃには、探査信号２２ｂが印加された信号印加ケーブル３１ｂから回りこんだ電流（右向きの黒色矢印）が流れる。探査対象ケーブル３１ａ１から各ケーブル３１ｃに回り込む電流（図１に示された白抜き矢印の方向の電流）が無いので、各ケーブル３１ｃに流れるその電流は、打ち消されることが無く、そのまま流れる（図１１参照）。
【００７５】
このため、Ａ点に配置されたサーチコイル１７を走査しても、Ａ点でのケーブルトレイ３４Ａの縦断面での各ケーブル３１には、図６に示すように、電流がそれぞれ流れ、探査対象ケーブル３１ａ１（図６に示された探査対象ケーブル３１ａ）を特定することができない。このような状態では、探査対象ケーブル３１ａ１及び信号印加ケーブル３１ｂのいずれかが、盤３５に接続されていないことになる。
【００７６】
探査対象ケーブル３１ａ１から電磁変換素子９ａを取り外し、他のケーブル３１である１本のケーブル３１ｃに電磁変換素子９ａを非接触状態で装着する。この電磁変換素子９ａを装着したケーブル３１ｃを、便宜的に、探査対象ケーブル３１ａ２と称する。探査信号２２ａが探査対象ケーブル３１ａ２に印加され、探査信号２２ｂが信号印加ケーブル３１ｂに印加される。このとき、走査されたサーチコイル１７により検知された探査対象ケーブル３１ａ２を、実施例１と同様に処理され、受信器１０の位相判定回路１５で認識することができた。この結果、電磁変換素子９ａを装着した探査対象ケーブル３１ａ１が盤３５に接続されていないケーブル３１であると認識でき、探査対象ケーブル３１ａ２のケーブル探査も終了する。信号印加ケーブル３１ｂが盤３５に接続されていることも、併せて認識できる。この信号印加ケーブル３１ｂに電磁変換素子９ｂを装着した状態で、電磁変換素子９ａをケーブル３１に順次装着し、ケーブル探査が行われる。
【００７７】
本実施例によれば、電磁変換素子９ａを装着した探査対象ケーブル３１ａ１が盤３５に接続されていないことを認識することができ、ケーブル探査を継続して実行することができる。本実施例は、実施例１で生じる効果を得ることができる。ケーブル探査装置１Ａを用いた場合でも、本実施例と同様に、盤３５に接続されていないケーブル３１を認識することができ、探査対象ケーブルの探査を行うことができる。
【００７８】
探査対象ケーブル３１ａ１に探査信号２２ａを印加し、信号印加ケーブル３１ｂに探査信号２２ｂを印加して受信器１０で探査対象ケーブル３１ａ１を探査することができない場合には、探査対象ケーブル３１ａ１及び信号印加ケーブル３１ｂのいずれかが、盤３５に接続されていない可能性がある。電磁変換素子９ａまたは電磁変換素子９ｂを他のケーブル３１ｃに装着して探査信号２２ａ，２２ｂを該当するそれぞれの電磁変換素子から該当するケーブルにそれぞれ印加することによって、探査対象ケーブル３１ａ１及び信号印加ケーブル３１ｂのどちらが、盤３５に接続されていないかを知ることができ、併せて、探査対象ケーブルの探査も行うことができる。
【実施例４】
【００７９】
本発明の他の実施例である実施例４のケーブル探査方法を、図１、図１３及び図１４を用いて説明する。本実施例のケーブル探査方法は、実施例１で用いたケーブル探査装置１を用いて行われる。ケーブル探査装置１の替りにケーブル探査装置１Ａを用いてもよい。
【００８０】
電磁変換素子９ａが、実施例１と同様に、探査対象ケーブル３１ａに非接触状態で装着される。電磁変換素子９ｂがいずれのケーブル３１にも装着されていない。探査対象ケーブル３１ａ及び信号印加ケーブル３１ｂが盤３５に接続されている。この状態で、探査信号２２ｂがいずれのケーブル３１にも印加されず、送信装置２からの探査信号２２ａが電磁変換素子９ａより探査対象ケーブル３１ａに印加される。これにより、探査対象ケーブル３１ａに右向きの白抜き矢印の方向に電流が流れ、この電流が回り込んだ、探査対象ケーブル３１ａ以外の全てのケーブル３１（信号印加ケーブル３１ｂ及び全ての信号ケーブル３１ｃ）に、左向きの白抜き矢印の方向に電流が流れる（図１３参照）。すなわち、探査対象ケーブル３１ａ以外の各ケーブル３１には、探査対象ケーブル３１ａとは逆の方向に電流が流れる。このため、走査されたサーチコイル１７で検知された、探査対象ケーブル３１ａを含む各ケーブル３１からの信号が、受信器１０に入力される。それぞれのケーブル３１に電流が流れており、特に、探査対象ケーブル３１ａ以外の各ケーブル３１には探査信号２２ａとは位相が逆の電流が流れている（図６参照）ので、受信器１０による処理によっても、Ａ点において探査対象ケーブル３１ａを特定することができない。これは、探査対象ケーブル３１ａが盤３５に接続されていることを意味している。
【００８１】
オペレータは、探査対象ケーブル３１ａが盤３５に接続されていることを以下のようにして認識することができる。サーチコイル１７の走査により、各ケーブル３１に流れている電流がサーチコイル１７で信号として検出される。検出された各信号は受信器１０に入力され、各信号の位相が位相判定回路１５で判定される。探査対象ケーブル３１ａ以外の各ケーブル３１では、サーチコイル１７から出力された各位相が位相信号１９の位相と逆になっていると判定される。これらの判定情報が、位相判定回路１５から出力されて表示器１６に表示される。オペレータは、表示器１６に表示された判定情報を見ることによって、探査対象ケーブル３１ａ以外の各ケーブル３１に流れている電流の位相が、位相信号１９の位相と逆になっていることを知ることができる。このとき、Ａ点では、各ケーブル３１での電流の流れ方向は、図６に示すようになっている。探査対象ケーブル３１ａに流れる電流の位相は、位相信号１９の位相と同じになっているが、探査対象ケーブル３１ａの周囲に存在する各ケーブル３１を流れる電流の影響を受けて探査対象ケーブル３１ａを特定することが困難である。
【００８２】
探査対象ケーブル３１ａ以外の各ケーブル３１に流れている電流の位相が位相信号１９の位相と逆になっているとき、他のオペレータが、電磁変換素子９ｂを、探査対象ケーブル３１ａ以外のケーブル３１である信号印加ケーブル３１ｂに非接触状態で装着する。送信器２から、電磁変換素子９ａを通して探査対象ケーブル３１ａに探査信号２２ａを印加し、電磁変換素子９ｂを通して信号印加ケーブル３１ｂに探査信号２２ｂを印加する（図１参照）。この結果、実施例１と同様に、受信器１０によって探査対象ケーブル３１ａを特定することができる。
【００８３】
探査対象ケーブル３１ａが盤３５に接続されていない場合には、各ケーブル３１における電流の流れは、以下のようになる。電磁変換素子９ａより探査信号２２ａが探査対象ケーブル３１ａに印加されたとき、探査対象ケーブル３１ａに右向きの白抜き矢印の方向に電流が流れる。しかしながら、その電流は、盤３５に接続されていない探査対象ケーブル３１ａから他の全てのケーブル３１に回り込まない。すなわち、探査信号２２ａが印加された探査対象ケーブル３１ａ以外のケーブル３１には、電流が流れない（図１４参照）。サーチコイル１７を走査することによって、探査対象ケーブル３１ａだけから探査信号２２ａを検知することができる。検知された探査信号２２ａを入力する受信器１０は、Ａ点で探査対象ケーブル３１ａを特定する。このように、電磁変換素子９ａだけを装着して探査対象ケーブル３１ａを特定できることは、電磁変換素子９ａを装着した探査対象ケーブル３１ａが盤３５に接続されていないことを意味する。
【００８４】
この場合には、電磁変換素子９ａを探査対象ケーブル３１ａから取り外し、別の１本のケーブル３１ｃに電磁変換素子９ａを非接触状態で装着する。電磁変換素子９ａが装着されたケーブル３１ｃが、新たな探査対象ケーブル３１ａ１となる（図１４参照）。送信器２から出力された探査信号２２ａが、電磁変換素子９ａより探査対象ケーブル３１ａ１に印加される。このとき、電磁変換素子９ｂが信号印加ケーブル３１ｂに装着されていなく、探査信号２２ｂの信号印加ケーブル３１ｂへの印加が停止されている。探査信号２２ａの印加によって、前述したように、探査対象ケーブル３１ａ１以外の各ケーブル３１に電流が流れる。この状態では、探査対象ケーブル３１ａ１が盤３５に接続されている。このため、電磁変換素子９ｂが信号印加ケーブル３１ｂに装着される。送信器２から、電磁変換素子９ａを通して探査対象ケーブル３１ａ１に探査信号２２ａが印加され、電磁変換素子９ｂを通して信号印加ケーブル３１ｂに探査信号２２ｂが印加される（図１参照）。この結果、実施例１と同様に、受信器１０によって探査対象ケーブル３１ａ１を特定することができる。
【００８５】
本実施例は、実施例３で生じる各効果を得ることができる。本実施例も、探査対象ケーブル３１ａが盤３５に接続されていない場合には、これを認識することができる。さらに、本実施例は、電磁変換素子９ｂを装着しなくとも探査対象ケーブル３１aが接続されているか否かがわかるため、電磁変換素子９ｂを装着する手間を削減でき、探査時間を短縮できる。
【実施例５】
【００８６】
本発明の他の実施例である実施例５のケーブル探査方法を、図１５を用いて説明する。本実施例のケーブル探査方法は実施例１で用いたケーブル探査装置１を用いて行われる。
【００８７】
電磁変換素子９ｂを、開閉器４１を介して送信器２の増幅器８に接続する。本実施例では、電磁変換素子９ａを探査対象ケーブル３１ａに非接触状態で装着し、電磁変換素子９ｂを信号印加ケーブル３１ｂに非接触状態で装着する。開閉器４１を開いた状態で、送信器２から出力された探査信号２２ａを電磁変換素子９ａより探査対象ケーブル３１ａに印加する。走査したサーチコイル１７で検知した探査信号２２ａが、受信器１０に入力される。受信器１０での信号処理により、探査対象ケーブル３１ａを特定することができなかった。これは、探査対象ケーブル３１ａが盤３５に接続されている状態を示している。このとき、探査対象ケーブル３１ａには右向き白抜き矢印の方向に電流が流れ、探査対象ケーブル３１ａ以外の各ケーブル３１には左向き白抜き矢印の方向に電流が流れている（図１３参照）。
【００８８】
探査対象ケーブル３１ａが盤３５に接続されていることを表示器１６に表示された情報によって確認した後、オペレータは、開閉器４１を閉じる。これによって、送信器２から電磁変換素子９ｂに探査信号２２ｂを出力することができる。実施例４と同様に、送信器２から、電磁変換素子９ａを通して探査対象ケーブル３１ａに探査信号２２ａを印加し、電磁変換素子９ｂを通して信号印加ケーブル３１ｂに探査信号２２ｂを印加する（図１参照）。この結果、実施例１と同様に、受信器１０によって探査対象ケーブル３１ａを特定することができる。
【００８９】
もし、開閉器４１を開いた状態（探査信号２２ｂの信号印加ケーブル３１ｂへの印加が停止されている状態）で、送信器２から出力された探査信号２２ａを電磁変換素子９ａより探査対象ケーブル３１ａに印加したとき、サーチコイル１７の走査によって、探査対象ケーブル３１ａだけから探査信号２２ａを検知することができる。このとき、探査対象ケーブル３１ａだけに右向き白抜き矢印の方向に電流が流れ、探査対象ケーブル３１ａ以外の各ケーブル３１には電流が流れていない（図１４参照）。このような現象が生じるのは、探査対象ケーブル３１ａが盤３５に接続されていないからである。このため、受信器１０の位相判定回路１５は、探査信号２２ａを検出したケーブル３１が探査対象ケーブル３１ａであると特定する。この結果が表示器１６に表示される。
【００９０】
開閉器４１が開いた状態で、表示器１６に表示された情報が、探査対象ケーブル３１ａが特定されたことを示している場合には、上記したように、探査対象ケーブル３１ａが盤３５に接続されていないことを意味しているので、オペレータは、探査対象ケーブル３１ａから電磁変換素子９ａを取り外し、この電磁変換素子９ａを別の１本のケーブル３１ｃに電磁変換素子９ａを非接触状態で装着する。電磁変換素子９ａを装着したケーブル３１ｃが新たな探査対象ケーブル３１ａ１になる。開閉器４１を開いた状態で、電磁変換素子９ａを装着した探査対象ケーブル３１ａ１に探査信号２２ａを印加する。探査信号２２ｂの信号印加ケーブル３１ｂへの印加が停止されている状態で、この探査信号２２ａを印加して受信器１０における信号処理が行われても、探査対象ケーブルであるそのケーブル３１ｃが特定できなかったとき、探査信号２２ａを印加したケーブル３１ｃは盤３５に接続された状態にある。このため、前述したように、送信器２から、探査対象ケーブル３１ａ１に探査信号２２ａを印加し、開閉器４１を閉じて電磁変換素子９ｂを装着した信号印加ケーブル３１ｂに探査信号２２ｂを印加する。この結果、探査信号２２ａを検知したケーブル３１（探査対象ケーブル３１ａ１）が探査対象ケーブルとして特定される。
【００９１】
本実施例は、実施例４で生じる各効果を得ることができる。さらに、本実施例は、電磁変換素子９ｂをあるケーブル３１に装着したまま、電磁変換素子９aを装着するケーブル３１を順次変えていく場合に、その都度、電磁変換素子９ｂのケーブル３１への取り付け取り外しを行なうことなく電磁変換素子９ｂに印加する信号のＯＮ及びＯＦＦが行えるため、探査効率が向上する。
【００９２】
ケーブル探査装置１の替りにケーブル探査装置１Ａを用いてもよい。ケーブル探査装置１Ａを用いる場合には、電磁変換素子９ｂに接続された開閉器４１が可変増幅器８ａに接続される。
【００９３】
開閉器４１は送信器２内に設置してもよい。
【００９４】
実施例１から実施例５の各実施例は、原子力プラントだけでなく、火力プラント及び化学プラント等のプラント、ビルディング及び工場内に敷設されたケーブルの探査に適用することができる。
【産業上の利用可能性】
【００９５】
本発明は、原子力プラント等のプラント、ビルディング及び工場内に敷設されたケーブルの探査に適用することができる。
【符号の説明】
【００９６】
１，１Ａ…ケーブル探査装置、２，２Ａ…送信器、３…タイミング信号発生回路、４…位相信号発生回路、５…合成回路、６ａ，８ａ…可変増幅器、７…反転器、９ａ，９ｂ…電磁変換素子、９ｃ，９ｄ…磁電変換素子、１０…受信器、１３…タイミング検出回路、１４…位相検出回路、１５…位相判定回路、１７…サーチコイル、３１，３１ｃ…ケーブル、３１ａ…探査対象ケーブル、３１ｂ…信号印加ケーブル、３２，３３…ルート、３５…盤、３９ａ，３９ｂ…レベル演算回路、４０…制御回路、４１…開閉器。
【図１】
2011127985.tif 000003
【図２】
2011127985.tif 000004
【図３】
2011127985.tif 000005
【図４】
2011127985.tif 000006
【図５】
2011127985.tif 000007
【図６】
2011127985.tif 000008
【図７】
2011127985.tif 000009
【図８】
2011127985.tif 000010
【図９】
2011127985.tif 000011
【図１０】
2011127985.tif 000012
【図１１】
2011127985.tif 000013
【図１２】
2011127985.tif 000014
【図１３】
2011127985.tif 000015
【図１４】
2011127985.tif 000016
【図１５】
2011127985.tif 000017